(57)【特許請求の範囲】
【請求項１】
反射面の上部に吊設部材を配設し、この吊設部材に形成した左右方向に長い長孔から軸身を介して前記反射面に接触し、かつ下端側をフリーに形成した棒状のブラシ体を垂下させると共にこのブラシ体の前記軸身の上端であって、前記長孔より上に位置する部分には、この長孔の幅より大きく、長孔に沿ってスライド自在に抜け止め頭部を形成して成る視線誘導標に用いられる反射面の払拭装置。
【請求項２】
前記ブラシ体の下端には風圧を受けて前記ブラシ体を反射面に沿って左右に揺動させ、かつ前記長孔に沿って前記軸身を左右にスライドするのを助勢する風受板を取り付けて成る請求項１に記載の視線誘導標に用いられる反射面の払拭装置。
【請求項３】
前記抜け止め頭部の少くとも長孔に接する部分を半球状に形成することにより、ブラシ体が長孔に沿って円滑にスライドできるように構成して成る請求項１に記載の視線誘導標に用いられる反射面の払拭装置。
【請求項４】
前記抜け止め頭部を摘んで引き上げることにより前記ブラシ体を前記吊設部材の長孔から引き抜き、汚れたブラシ体を洗浄自在に構成して成る請求項１に記載の視線誘導標に用いられる反射面の払拭装置。
【請求項５】
前記ブラシ体の抜け止め頭部の下半を球状に形成し、上半を風圧の影響を受け易い平板又は風車状に形成して成る請求項１に記載の視線誘導標に用いられる反射面の払拭装置。
【請求項６】
前記ブラシ体の抜け止め頭部に反射塗料を塗布して成る請求項１に記載の視線誘導標に用いられる反射面の払拭装置。
【請求項７】
前記払拭装置には、既設の視線誘導標に対して後付けするための後付用金具が取り付けられていることを特徴とする請求項１に記載の視線誘導標に用いられる反射面の払拭装置。
【請求項８】
前記風受板に反射塗料を塗布して成る請求項２に記載の視線誘導標に用いられる反射面の払拭装置。
【発明の詳細な説明】
【技術分野】
【０００１】
本発明は、高速道路等において用いられる視線誘導標の反射面の汚れを効率良く落とすことができると共にメンテナンスが簡単な払拭装置に関する。
【背景技術】
【０００２】
反射面に払拭装置を設けた視線誘導標としては風車式が一般的であるが、この風車式の場合、経年的に汚れが付着して風車の回転が緩慢となったり、停止してその機能が失われてしまっているものが多く認められる。
【０００３】
これは、屋外に設置してあるために必然的に発生する問題であることから、この風車式に代る払拭装置として、次の様な構成のものが紹介されている。
【０００４】
例えば、実開昭５３−１４６３８９号公報に紹介されている払拭装置は、反射鏡体１の表面に接触する払拭部材７を支持し、上部に自然風力を受ける風受け部材６を備えた払拭部材支持体５をばね部材４を介して支柱２１等に固定のハウジング２に取付けたことを内容とするものである。
【０００５】
しかし、この払拭装置にあっては、払拭部材７は板バネ部材４により支持されていて、この板バネ部材４の撓みにより反射鏡体１を払拭部材７が払拭する構造のため、板バネ部材４の弾性力に対して可成り大きな風圧が風受け部材６にかからないと払拭部材７は鏡体１の左右端まで可動せず、拭き残しが発生して実用上問題がある。
【０００６】
また、実開昭５３−１４６３８８号公報に紹介されている払拭装置は、支柱１１等に固定され反射鏡体１を支持するハウジング２と、その反射鏡体１の表面に接触する払拭部６０を有し、伸縮自在な弾性ブレード６と、そのブレード６を固定支点７のまわりに揺動させる風受け板５とを備えたことを内容とするものである。
【０００７】
しかし、この払拭装置の場合も、上記した実開昭５３−１４６３８９号公報に紹介されている払拭装置と同一の問題がある。
【０００８】
また、実開昭５２−３１３８０号公報に紹介されている払拭装置は、視線誘導標反射鏡の表面に接するよう線条を懸垂せしめたことを内容とするものである。
【０００９】
この払拭装置の場合は、線条４が反射鏡面に沿って揺動する内容のため、上記２件の払拭装置のような問題はないが、払拭するものが線条を呈しているために風圧を受け難いと共に左右に揺れたときに線条４が絡まってしまい、役に立たなくなるという問題がある。
【先行技術文献】
【非特許文献】
【００１０】
【非特許文献１】実開昭５３−１４６３８９号公報
【非特許文献２】実開昭５３−１４６３８８号公報
【非特許文献３】実開昭５２−３１３８０号公報
【発明の概要】
【発明が解決しようとする課題】
【００１１】
本発明は、小さな風圧でも良く可動して反射面全体を払拭することができると共に汚れた際は簡単に取り外して汚れを洗い落とし、払拭効果を持続できるメンテナンスが簡単な視線誘導標に用いられる払拭装置を提供するのが目的である。
【課題を解決するための手段】
【００１２】
本発明は、上記課題を解決するため、請求項１に記載の発明は、視線誘導標に用いられる払拭装置として、反射面の上部に吊設部材を配設し、この吊設部材に形成した左右方向に長い長孔から軸身を介して前記反射面に接触し、かつ下端側をフリーに形成した棒状のブラシ体を垂下させると共にこのブラシ体の前記軸身の上端であって、前記長孔より上に位置する部分には、この長孔の幅より大きく、長孔に沿ってスライド自在に抜け止め頭部を形成して成ることを特徴とするものである。
【００１３】
この発明によると、ブラシ体は吊設部材の長孔にスライド自在に組み付けられているため、小さな風圧でもブラシ体が反射面に沿って左右に移動しながら大きく揺動することから、拭き残しが無く、また、ブラシ体が汚れた時は長孔からそのまま上方に引き抜いて洗浄したのち、再び長孔から差し込んで組み付けることができるので、長期に渡り払拭性能を維持できる。
【００１４】
又、請求項２に記載の発明は、請求項１に記載の視線誘導標に用いられる払拭装置において、ブラシ体の下端には風圧を受けて前記ブラシ体を反射面に沿って左右に揺動させ、かつ前記長孔に沿って前記軸身を左右にスライドするのを助勢する風受板を取り付けて成ることを特徴とするものである。
【００１５】
この発明によると、風受板でも風圧を受けることができるため、ブラシ体の揺動を助勢し、特に風圧が小さい時に有効である。
【００１６】
又、請求項３に記載の発明は、請求項１に記載の視線誘導標に用いられる払拭装置において、前記抜け止め頭部の少くとも長孔に接する部分を半球状に形成することにより、ブラシ体が長孔に沿って円滑にスライドできるように構成して成ることを特徴とするものである。
【００１７】
この発明によると、ブラシ体は長孔を介して吊設されていて、然も抜け止め頭部は長孔と接する部分が半球状に形成されているため、接触抵抗が小さいことから、ブラシ体は小さな風圧でも長孔に沿って左右にスライドし、払拭効果を高めることができる。
【００１８】
また、請求項４に記載の発明は、請求項１に記載の視線誘導標に用いられる払拭装置において、前記抜け止め頭部を摘んで上方に引き上げることにより前記ブラシ体を前記吊設部材の長孔から引き抜き、汚れたブラシ体を洗浄自在に構成して成ることを特徴とするものである。
【００１９】
この発明によると、屋外に設置された視線誘導標であって、特にトンネル内の場合は汚れが付き易く、そのまま放置しておくと払拭効果が低下するが、汚れた時はブラシ体を引き抜いて簡単にこの汚れを洗い落とすことができる。
【００２０】
また、請求項５に記載の発明は、請求項１に記載の視線誘導標に用いられる払拭装置において、前記ブラシ体の抜け止め頭部の下半を球状に形成し、上半を風圧の影響を受け易い平板又は風車状に形成して成ることを特徴とするものである。
【００２１】
この発明によると、風圧を抜け止め頭部側においても受け止めることができるため、風受板による風受け効果に加えてブラシの揺動及び軸回転力を助勢することができると共に長孔に対しては球形面で接しているため、ブラシ体の揺動に際してスライド抵抗が小さくなり、特に風圧が小さい時に有効である。
【００２２】
また、請求項６に記載の発明は、請求項１に記載の視線誘導標に用いられる払拭装置において、前記ブラシ体の抜け止め頭部に反射塗料を塗布して成ることを特徴とするものである。
【００２３】
この発明によると、反射面での反射に加えて、ブラシ体及び抜け止め頭部及び風受板がライトの光で反射することから、視認性が高まり、視線誘導効果を高めることができる。
【００２４】
また、請求項７に記載の発明は、請求項１に記載の視線誘導標に用いられる払拭装置において、この払拭装置には既設の視線誘導標に対して後付けを行うための後付用金具が取り付けられていることを特徴とするものである。
【００２５】
この発明によると、払拭装置の無い既設の視線誘導標を払拭装置付に改善することができる。
【００２６】
また、請求項８に記載の発明は、請求項２に記載の視線誘導標に用いられる払拭装置において、前記風受板に反射塗料を塗布して成ることを特徴とするものである。
【発明の効果】
【００２７】
本発明に係る視線誘導標に用いられる払拭装置は、以上のように、風の力で反射面に沿って左右に移動しながら揺動し、かつ揺動しながら軸回転するブラシ体を設けたことにより、小さな風圧の時でも反射面全体の汚れを落して経年的に反射率が低下するのを防ぐことができると共にブラシ体は固定していないので、汚れ等により経年的に動きが悪くなることもない。
【００２８】
また、仮にブラシ体に汚れが付着した場合には、このブラシ体を簡単に引き抜いて洗浄したり、洗浄済の汚れのないものに交換したりすることができるため、メンテナンスに手間と費用がかからない。
【００２９】
また、後付けタイプの払拭装置にあっては、払拭装置の付いていない既設の視線誘導標に対して後付けができるため、新規に払拭装置付視線誘導標に交換する場合に比較してコストがかからない。
【図面の簡単な説明】
【００３０】
【図１】本発明に係る払拭装置を視線誘導標に取り付けた状態の説明図である。
【図２】本発明に係る払拭装置を視線誘導標に取り付けた状態の平面図である。
【図３】本発明に係る払拭装置を視線誘導標に取り付けた状態の側面図である。
【図４】図２Ａ−Ａ’線断面図である。
【図５】ブラシ体の揺動作用の説明図である。
【図６】本発明に係る払拭装置を取り付けた視線誘導標をトンネル内の縁石の部分に斜めに設置した例の説明図である。
【図７】本発明に係る払拭装置を取り付けた視線誘導標をトンネル内の縁石の部分に正対するように設置した例の説明図である。
【図８】抜け止め頭部の実施例であって、（Ａ）は平板状風受部を形成した抜け止め頭部の説明図、（Ｂ）は風車状風受部を形成した抜け止め頭部の説明図である。
【図９】後付けタイプの払拭装置の説明図である。
【図１０】既設の視線誘導標に図９の払拭装置を後付けした例の説明図である。
【発明を実施するための形態】
【００３１】
本発明に係る視線誘導標に用いられる払拭装置は、高速道路のトンネル内に設置された視線誘導標において特に有効であるが、その用途はこれに限定される訳ではなく、一般の視線誘導標に用いることもできる。あるいは、交通標識板、カーブミラー、コーナーミラー等の汚れを払拭する装置としても適用が可能である。
【００３２】
後付けタイプの払拭装置では、既設の視線誘導標の形態に応じて後付け用の金具と取り付け方法を決定することになるが、反射面の正面にブラシ体が風の力で自由に揺動したり、軸回転ができるようにするために、ブラシ体をその上部で左右にスライド自在に吊り下げるようにして吊持するための金具の存在は必須である。
【００３３】
払拭装置は、腐食を考慮して、ブラシ体を除きアルミ若しくはステンレス板で製作することになるが、その他の金属の利用も条件次第では除外しない。
【００３４】
ブラシ体は、その軸身にステンレスの線材を用い、ブラシにはナイロン繊維を用いるのが最適であるが、条件によってはアルミ製の線材を軸身に用いたり、ナイロン繊維以外の樹脂繊維を用いても良い。
【実施例１】
【００３５】
本実施例１は、請求項１〜４に記載した発明に対応し、図１乃至図７にその具体例と設置例を示す。
【００３６】
この図１乃至図７において、図１は本発明に係る払拭装置を取り付けた視線誘導標の斜面図、図２は平面図、図３は側面図、図４は図２Ａ−Ａ’線断面図、図５はブラシ体が風圧で揺動している状態の説明図、図６、図７は設置状況の説明図である。これら各図において、符号の１は視線誘導標、２はこの反射面である。なお、本実施例において、この反射面２は平滑となっているが、多少の湾曲面となっている場合もある。
【００３７】
３は払拭装置であって、この払拭装置３は、垂直部４ａの上端を正面側に９０°折り曲げて水平部５を形成すると共にこの垂直部４ａの下端を９０°後方に向けて折り曲げて固定孔６ａ付の固定部６を形成した吊設部材４を設け、更に前記水平部５に左右方向に長い長孔７を形成し、この長孔７に上方から下方に向けて棒状のブラシ体８を垂直させると共に前記ブラシ体８はその上端に形成した抜け止め頭部１０で長孔７からの抜け止めを図った構成である。
【００３８】
この払拭装置３において、ブラシ体８はステンレス製の軸身９にナイロン製のブラシ毛８ａを放射状に植設すると共に軸身９の下端には偏平な風受板１１を取り付け、軸身９の上端の頭部１０の頸部９ａは長孔７の縁にスライド自在に係合している。
【００３９】
前記ブラシ体８は、図１乃至図４に示すように、前記吊設部材４の水平部５に形成した長孔７から風受板１１側を下にして挿し込み、抜け止め頭部１０の頸部１０ａが長孔７の縁に係合することにより反射面２の正面に垂下するように吊設されていて、風圧をブラシ体８と風受板１１が受けると自由端（下端）側が図５に示すように左右に揺動し、併せて長孔７に沿って抜け止め頭部１０の頸部１０ａが矢印方向（左右）にスライドし、この動きによりブラシ体８が反射面２に沿って移動しながら全体を払拭する。
【００４０】
図６は高速道路のトンネル内の縁石１５部分に設置した例であって、この設置に際しては吊設部材４を固定部６を固定孔６ａとボルト１６を利用して縁石１５に固定する。但し、この固定手段は、縁石１５に直接取り付ける例であることから、取り付け対象物によってはその他の固定手段が用いられることもある。
【００４１】
図７は視線誘導標１を運転者（自動車）に正対するように設置した例の説明図である。
【００４２】
以上に説明した視線誘導標１用払拭装置３は、自動車の走行風圧あるいは自然の風圧をブラシ体８及び風受板１１が受けると、このブラシ体８は水平部５の長孔７に沿って左右にスライドしながら自由端側（下端側）が反射面２に沿って左右に大きく揺動し、ブラシ部８ａで汚れを払拭する。
【００４３】
なお、風受板１１は、風圧をブラシ体８が十分に受けて可動する場合には、必ずしも取り付ける必要はない。
【００４４】
また、吊設部材４の水平部５は、左右いずれかの方向に多少傾斜させることにより、長孔７も傾斜し、ブラシ体８はその重力で長孔７の傾斜方向にずれて反射面２から外れるように位置調整を行うと、無風時においてブラシ体８は反射面２において端の方に逃れるため、ブラシ体８が邪魔して反射率が低下したりするのを防ぐことができる。
【００４５】
そして、経年的にブラシ毛８ａを含むブラシ体８に汚れが付着した時は、抜け止め頭部１０を摘んで引き上げると、ブラシ体８は長孔７から上方に引き抜くことができるので、簡単に洗浄を行うことができる。
【００４６】
あるいは、ブラシ体８をそのまま取り付けておき、ジェット水流を視線誘導標１に向けて噴射すると、ブラシ体８は水圧により激しく可動するため、自身に付着した汚れが落ちるばかりでなく、反射面２をブラッシングしてこの反射面２の汚れを奇麗に洗い落とすことができる。
【実施例２】
【００４７】
本実施例２は、請求項５に記載した発明に対応するもので、抜け止め頭部１０でも風圧を受けてブラシ体８の可動を助長するのが目的で、図８（Ａ）に示すように、抜け止め頭部１０の上半に風を受けるための平板部１２を形成するか、（Ｂ）に示すように風車状の風受部１３を形成する。
【００４８】
特に、風車状の風受部１３の場合、風圧でブラシ体８の軸身９に軸回転運動が発生することから、ブラシ体８には左右の揺動に加えて軸回転運動が加わるため、反射面２の払拭効果をより高めることができる。
【実施例３】
【００４９】
本実施例３は、請求項７に記載の発明に対応しており、図９に示すように、吊設金具４の垂直部４ａの正面に円弧状の弾性金具１４、１４ａを上下で対向するように形成し、図１０に示すように弾性金具１４、１４ａを既設の視線誘導標１に対して後方から嵌合することにより、払拭装置３を後付けする例である。
【００５０】
なお、既設の視線誘導標１に対しては、どのような方法で取り付けるようにしても良いが、嵌め込み式が一番簡単である。図９において、１４ｂは後付けに際して既設の視線誘導標１の支柱１７に固定した台座１８の支持部１９を逃げるための切欠部である。
【００５１】
なお、上記視線誘導標１及び払拭装置３において、ブラシ体８のブラシ毛８ａあるいは抜け止め頭部１０、風受板１１、平板部１２、風車部１３には蛍光塗料を塗布して視認性を高めるようにしても良い（請求項６、請求項８）。
【００５２】
また、抜け止め頭部１０の頸部１０ａは、点接触により摩擦を低減して長孔７に沿って円滑にスライドできるように半球形状としているが、摩擦の小さい形状ならば、他の形状でも良く、長孔７の縁を尖らせて僅かに立ち上げることにより抜け止め頭部１０の頸部１０ａに対して線接触を図り、摩擦を軽減するようにしても良い。この時は、抜け止め頭部１０の頸部１０ａは必ずしも球形とする必要はない。
【産業上の利用分野】
【００５３】
・視線誘導標における汚れ落とし。
・各種交通標識板における汚れ落とし。
・カーブミラー、コーナーミラーにおける汚れ落とし。
【符号の説明】
【００５４】
１ 視線誘導標
２ 反射面
３ 払拭装置
４ 吊設部材
５ 水平部
６ 固定部
７ 長孔
８ ブラシ体
９ 軸身
１０ 抜け止め頭部
１１ 風受板
１２ 平板状風受部
１３ 風車状風受部
１４・１４ａ 固定弾性金具
１４ｂ 切欠部
１５ 縁石
１６ ボルト
１７ 支柱
１８ 台座
１９ 支持部
【図１】
0005612986.tif 000002
【図２】
0005612986.tif 000003
【図３】
0005612986.tif 000004
【図４】
0005612986.tif 000005
【図５】
0005612986.tif 000006
【図６】
0005612986.tif 000007
【図７】
0005612986.tif 000008
【図８】
0005612986.tif 000009
【図９】
0005612986.tif 000010
【図１０】
0005612986.tif 000011